(57)【特許請求の範囲】
【請求項１】
遠近撮影用カメラとこのカメラを落雷から保護する避雷手段とを回転支持体に装設すると共に前記避雷手段をカメラの視野外位置に配置し、前記避雷手段がカメラ視野外にある状態で回転支持体によりカメラを回転させるようにしたことを特徴とする環境撮影装置。
【請求項２】
上記避雷手段が、回転支持体に装設されたカメラを囲うかご状避雷器であることを特徴とする請求項１記載の環境撮影装置。
【請求項３】
上記回転支持体が設置された支柱と回転支持体との間に、支柱側に設けられてアースした固定集電子と、回転支持体側に設けられて回転時に前記固定集電子に電気的接触状態で摺動することにより避雷手段を前記固定集電子を介してアースする回転集電子とを配設した集電装置を具備したことを特徴とする請求項１又は２記載の環境撮影装置。
【請求項４】
上記固定集電子が回転支持体の回転中心を中心とする円環状の集電レールで、回転支持体に固定された保護カバーを前記集電レール上に被せたことを特徴とする請求項３記載の環境撮影装置。
【発明の詳細な説明】
【０００１】
【発明の属する技術分野】
本発明は、屋外やビルの屋上等に設置されて３６０°周囲の環境を撮影する撮影装置で、詳しくは、監視カメラや観測カメラ等の遠近撮影用カメラを３６０°以上に連続回転させて３６０°周囲の環境を連続して撮影する環境撮影装置に関する。
【０００２】
【従来の技術】
競輪場等の競技トラックの中央に設置された鉄塔の上端でカメラを３６０°以上に連続回転させて、競技トラックを走行する競技者を連続的に撮像する監視カメラ装置は、カメラで撮像された画像を遠隔地で監察することで、競技者の着順を決めたり競技トラックでの競技者の不正行為を監視等する。このような屋外に設置される監視カメラ装置等の環境撮影装置においては、落雷からカメラを保護するために避雷針をカメラの近くに設置するようにしている。
【０００３】
【発明が解決しようとする課題】
鉄塔の上端に回転式カメラと避雷針を設置した環境撮影装置においては、鉄塔の上端が小スペースである関係から回転式カメラの側方近傍の定位置に棒状の避雷針を略鉛直に配置するようにしているが、この場合、カメラが避雷針の在る方向に回転するとカメラの視野（画角）に避雷針が入って、カメラで撮影された画像に避雷針像が最接近像として写る。そのため、競技トラックの競技者をカメラで連続して撮影して、カメラ画像から着順や不正行為等を監察する場合に、画像に写った避雷針像が邪魔になって正確な着順等を監察することができなくなる不具合が発生することがある。
【０００４】
そこで、上記不具合が発生しないように鉄塔上における避雷針の取付位置を変更することが行われているが、この避雷針取付位置の変更だけでは、競技トラックの３６０°ある全周のいずれの箇所で起こるか分からない不正行為に対しては十分に対処できない。また、避雷針を短くしたり、カメラから遠く離すようにして、カメラの撮影画像に写る避雷針像を小さくすれば、上記不具合の発生が少なくできるが、これでは避雷針の落雷からカメラを保護する機能が低下する。
【０００５】
本発明は、上記監視カメラ装置における避雷針問題に鑑みてなされたもので、回転式カメラで撮影された画像から避雷針像を無くし、かつ、落雷からカメラを保護する機能の確保を容易にし、特に高所監視カメラ装置に好適な環境撮影装置を提供することを目的とする。
【０００６】
【課題を解決するための手段】
本発明は上記目的を達成するため、遠近撮影用カメラとこのカメラを落雷から保護する避雷手段とを回転支持体に装設すると共に前記避雷手段をカメラの視野外位置に配置し、前記避雷手段がカメラ視野外にある状態で回転支持体によりカメラを回転させるようにしたことを特徴とする（請求項１の発明）。
【０００７】
ここでの避雷手段は、通常の棒状避雷針やプレート状避雷器、箱状避雷器等である。この避雷手段と回転式カメラを同じ回転支持体に固持させて、カメラの回転時に避雷手段もカメラと一体に回転させようにする。したがって、回転支持体に固持されたカメラの視野（画角、写角）から避雷手段を外すようにして避雷手段を回転支持体に固持させておくと、カメラがいずれの角度を回転してもその視野に避雷手段が入らず、カメラの撮影画像に避雷手段の像が写らない。このような避雷手段はカメラの近傍に配置することが可能であり、避雷手段が小型であってもカメラは避雷手段で確実に落雷から保護される。
【０００８】
本発明の請求項２の発明は、上記避雷手段が、回転支持体に固持されたカメラを囲うかご状避雷器であることを特徴とする。このかご状避雷器は、カメラを収容するかごを複数枚の導電網で形成したものでよく、カメラを囲うことによって避雷手段全体が小型サイズであってもカメラへの落雷を確実に防止する。
【０００９】
本発明の請求項３の発明は、上記回転支持体が設置された支柱と回転支持体との間に、支柱側に設けられてアースした固定集電子と、回転支持体側に設けられて回転時に前記固定集電子に電気的接触状態で摺動することにより避雷手段を前記固定集電子を介してアースする回転集電子とを配設した集電装置を具備したことを特徴とする。ここでの集電装置は、回転する避雷手段と固定された支柱との間の常時の電気的接続を安定したものにして、回転する避雷手段を確実にアースする。この場合、支柱が鉄塔であれば集電装置が鉄塔にアースされる。
【００１０】
さらに、本発明の請求項４の発明は、上記集電装置のおける固定集電子が回転支持体の回転中心を中心とする円環状の集電レールで、回転支持体に固定された保護カバーを前記集電レール上に被せたことを特徴とする。この保護カバーにより、集電レールに落下する異物、例えば鳩等の鳥の糞や雨、雪、煤塵等から保護することができ、これにより、集電装置の集電レールと回転集電子の電気的接触状態が常に安定したものとなる。
【００１１】
【発明の実施の形態】
本発明の一実施形態を図１乃至図７を参照して説明する。
【００１２】
図１乃至図４に示される環境撮影装置は、鉄塔等の支柱５０の上端の高所に設置される回転式監視カメラ装置に適用したもので、支柱５０の上端に設置された水平な回転支持体１０上に遠近撮影用カメラ２０と避雷手段３０を固持させると共に、回転支持体１０と支柱５０の間に避雷手段３０を常時アースするための集電装置４０を配備した構造を有する。支柱５０は図示しない地面にアースされた状態で立設された鉄塔等であり、支柱５０の上面にモータ装置６０が設置され、モータ装置６０上に回転支持体１０が鉛直な中心軸を中心に３６０°以上に連続回転可能に設置される。モータ装置６０と回転支持体１０の間に、支柱５０を介して避雷手段３０をアースする集電装置４０が配備される。
【００１３】
回転支持体１０は、例えばカメラ２０を連続回転可能に支持する回転式のカメラ支持用雲台である。カメラ２０は遠隔操作される監視カメラであり、周りの環境を撮影するカメラ本体２１と、カメラ本体２１に被せられてカメラ本体２１を支持して保護する分割型のカメラカバー２２を備える。カメラカバー２２が回転支持体１０上に立設された脚片２３に上下に揺動可能に支持される。以上の支柱５０上のモータ装置６０、雲台式回転支持体１０、カバー付きカメラ２０の各々は、既設の回転式高所監視カメラ装置のモータ装置、雲台、カメラの適用が可能であり、このように既設設備を利用することで設備投資が安くて済む。
【００１４】
避雷手段３０は回転支持体１０上にカメラ２０から少し離れた位置で、かつ、カメラ２０の視野外の定位置に固持される。このような避雷手段３０は、１本或いは複数本の棒状避雷針や、１枚或いは複数枚の導電板のプレート式避雷器、複数枚の導電板を箱状に組み立てた箱状避雷器、複数枚の導電網を箱状に組み立てたかご状避雷器等が適用可能である。特に、支柱５０の上端のような高所に設置される環境撮影装置にあっては、強風に対してより安全な構造の避雷手段３０が必要であることから棒状避雷針、かご状避雷器が適切であり、図１乃至図５に避雷手段３０としてかご状避雷器を示す。以下、必要に応じて避雷手段３０をかご状避雷器３０と称する。
【００１５】
かご状避雷器３０の具体例を図１乃至図４に、分解図を図５に示し説明すると、これは図５に示すように複数枚の矩形の導電網３１を、矩形箱状の補強用導電フレーム枠３２に組み付けて構成される。複数の各導電網３１は軽量なアルミニウム製品であり、補強用導電フレーム枠３２は軽量な導電網３１を補強する例えばステンレス製品である。導電フレーム枠３２は、カメラ２０の全体を囲う矩形箱形枠で、両側面の開口の中央に縦桟３３が連結される。この導電フレーム枠３２に対応して導電網３１は、導電フレーム枠３２の両側面開口に設置される前後２枚で計４枚の側面網３１ａ、３１ａ、…と、導電フレーム枠３２の上面開口に設置される前後２枚の上面網３１ｂ、３１ｂと、導電フレーム枠３２の前面開口に設置される１枚の前面網３１ｃと、導電フレーム枠３２の後面開口に設置される後面網３１ｄで構成される。導電網３１の各々は導電フレーム枠３２の外面に例えば蝶ネジ３４を使って手動で脱着可能に取り付けられる。導電フレーム枠３２の下面は開口したままで、この開口からカメラ２０を入れることで、かご状避雷器３０がカメラ２０を囲んだ状態で回転支持体１０上に固持される。
【００１６】
図５に示すように、導電網３１の側面網３１ａと上面網３１ｂを前後２枚に分けたのは、次の理由による。すなわち、支柱５０の上端のような高所でかご状避雷器３０を組み立てたり、分解する作業において、仮に導電網３１の側面網を１枚で構成しておくと重量が増して作業が難しくなるが、これを２枚に分けておくと２枚各々が軽量となって作業がし易くなる。また、カメラ２０の点検作業時にカメラカバー２２を手動で外す作業においては、導電網３１の上面網３１ｂを２枚に分けて２枚各々を軽量化することで、作業がし易くなる。また、このような高所での手動による各種作業は、導電フレーム枠３２の例えば側面の縦桟３３を、図５の円弧矢印で示すように前後に手動で倒れるようにして、縦桟３３を倒して作業するようにすれば、作業がし易くなる。
【００１７】
また、かご状避雷器３０の導電網３１と導電フレーム枠３２は、蝶ネジ３４や導電塗料等で電気的機械的に連結一体化され、回転支持体１０上に固持されると集電装置４０を介してアースされる。このようにかご状避雷器３０を常時アースした状態にしてカメラ２０を囲うことで、カメラ２０を落雷から確実に保護する。この場合、かご状避雷器３０がカメラ２０の上方域、両側方域、前後域のそれぞれを囲うので、カメラ２０をそのほぼ全方向からの落雷から保護して、信頼性の高い避雷針効果が期待できる。なお、かご状避雷器３０はカメラ２０の下方域を囲うことがないが、この下方域には回転支持体１０が在り、さらに、支柱５０の上端部には図１乃至図４の鎖線で示す位置に作業台装置７０が設置されるのが通常であり、この作業台装置７０はカメラ２０の下方域を囲ってカメラ２０の下方からの落雷に対して避雷針機能を発揮するので、かご状避雷器３０でカメラ２０の下方域を囲わなくてもよい。なお、作業台装置７０とは、鉄塔等の支柱５０の上端部外周に固設された鉄板製品の円形作業踏台、この作業踏台の外周に立設された鉄棒製の円形枠状手摺り等であり、鉄塔である支柱５０にアースされる。
【００１８】
回転支持体１０とカメラ２０と一体に連続回転するかご状避雷器３０を常時アースして避雷効果を安定したものにする集電装置４０の具体例が、図６乃至図７に示される。この集電装置４０は、支柱側（固定側）に固定されて支柱５０を介してアースされた固定集電子４１と、回転支持体側（回転側）に固定されて、固定集電子４１と常時電気的接触した状態で回転支持体１０と一体的に回転する回転集電子４２を備える。固定集電子４１は、例えば回転支持体１０の回転中心線を中心とする円環状の集電レールで、以下、必要に応じて固定集電子４１を集電レール４１と称する。
【００１９】
この集電レール４１は、図７に示すように絶縁性レール支持枠４３に水平に固定される。レール支持枠４３は、モータ装置６０又は支柱５０の固定部分に固定される。回転集電子４２は、図７（Ｂ）に示すように集電レール４１の上面に内蔵バネ材４４を介して摺動可能に弾圧接触する集電ブラシ等で、回転支持体１０と一体に回転して円環状の集電レール４１上を常時摺動して移動する。回転集電子４２は単数或いは複数が設置され、図２乃至図４においては集電レール４１の１８０°間隔の２箇所に一対を設置している。この一対の回転集電子４２の各々は避雷設備３０にリード線等で電気的接続される。
【００２０】
また、集電装置４０には、固定された集電レール４１の上面を覆う絶縁性の保護カバー４５と、回転集電子４２を囲う絶縁性の透明カバー４６が必要に応じて配備される。保護カバー４５は、回転支持体１０側に固定されて回転集電子４２と一体に回転する円環キャップ状の絶縁板で、１８０°間隔の２箇所に図示しない切り欠きが形成され、この切り欠きに回転集電子４２が配置されて集電レール４１に弾圧接触する。この保護カバー４５は、集電レール４１の上面に鳥の糞等の異物が落下するのを防止するカバーである。つまり、集電レール４１の上面に鳥の糞が落下すると、この糞が集電レール４１と回転集電子４２の電気的接触状態を悪化させて避雷器３０の避雷針機能を低下させることがあるが、集電レール４１に保護カバー４５を被せて保護カバー４５に鳥の糞を落下させて集電レール４１への落下付着を防止するようにしておくと、避雷器３０の避雷針機能が低下する心配が無くなる。また、透明カバー４６は、回転集電子４２の全体を覆うことで回転集電子４２への異物の落下と付着を防止して集電レール４１との電気的接触状態を常に安定したものとし、かつ、透明カバー４６を透視することで回転集電子４１の摩耗状態や集電レール４１上面の汚れ状態の目視監察が容易にできるようになる。
【００２１】
図１に示すように支柱５０の上端の高所で回転支持体１０とカメラ２０、かご状避雷器３０を一体的に連続回転させると、カメラ２０と避雷器３０の相対位置が変わらずに連続回転するカメラ２０の視野に避雷器３０のいずれの箇所も入らない。したがって、カメラ２０が連続して撮影する画像に避雷針像（避雷器像）が写らず、この画像から撮影された環境の正確な監察、観測等が実行できるようになる。また、高所のカメラ２０が常に一定した形態で避雷器３０に囲まれ、回転する避雷器３０が集電装置４０を介して常に安定した状態でアースされているので、カメラ２０が落雷から常に安定した状態で保護される。
【００２２】
なお、本発明は屋外の高所に設置される環境撮影装置に限らず、落雷の可能性のある低所に設置される環境撮影装置等にも有効に適用される。
【００２３】
【発明の効果】
請求項１の発明によれば、回転支持体の連続回転でカメラと避雷手段が相対位置変わらずに一体となって連続回転するので、連続回転するカメラのいずれの回転角度においてもカメラの視野に避雷手段が入らず、したがって、カメラで撮影された画像に避雷手段の像が写らずにカメラの撮影画像の監察が避雷手段像に邪魔されることなく正確に行えるようになって、環境撮影装置の信頼性改善が図れる。
【００２４】
請求項２の発明によれば、カメラを囲うかご状避雷器がカメラの前後左右や上方からの落雷に対してカメラを保護するため、カメラの落雷に対する保護機能に優れた、高信頼度の環境撮影装置が提供できる。
【００２５】
請求項３の発明によれば、回転する避雷手段のアース状態が集電装置を介することで安定したものとなり、避雷手段のカメラを落雷から保護する機能が常に安定して確保される。
【００２６】
請求項４の発明によれば、集電装置の固定集電子である集電レールの上面が保護カバーで覆われているので、集電レール上に鳥の糞等が落下して付着する心配が無くなり、そのため、集電レールと回転集電子の電気的接触が常に安定したものとなって、集電装置の信頼性が良くなり、集電装置の保守が容易になる。
【図面の簡単な説明】
【図１】本発明の一実施形態を示す環境撮影装置の側面図
【図２】図１の環境撮影装置の平面図
【図３】図１の環境撮影装置の正面図
【図４】図１の環境撮影装置の背面図
【図５】図１の環境撮影装置における避雷手段の分解斜視図
【図６】図１の環境撮影装置における集電装置の部分平面図
【図７】（Ａ）は図６のＴ1−Ｔ1線に沿う拡大断面図、（Ｂ）は図６のＴ2−Ｔ2線に沿う拡大断面図
【符号の説明】
１０    回転支持体
２０    カメラ
３０    避雷手段（かご状避雷器）
４０    集電装置
４１    固定集電子（集電レール）
４２    回転集電子
４５    保護カバー
５０    支柱
【図１】
0004216432.tif 000002
【図２】
0004216432.tif 000003
【図３】
0004216432.tif 000004
【図４】
0004216432.tif 000005
【図５】
0004216432.tif 000006
【図６】
0004216432.tif 000007
【図７】
0004216432.tif 000008